(57)【要約】【課題】階調によって青画素の輝度が変化することによる表示品位の低下を抑制した液晶表示装置を提供する。【解決手段】外部から入力される青映像データ（Ｂｉｎ）を補正することにより、各画素の光透過率を制御するための青画素データ（Ｂｏｕｔ）を生成する色補正部（１０）は、青映像データ（Ｂｉｎ）に基づいて算出される絵素における青色の彩度指数に応じて、青映像データ（Ｂｉｎ）を補正する。【選択図】図２
2016090723.tif 000002
【特許請求の範囲】
【請求項１】
赤画素、緑画素、および青画素を含む絵素を有しており、外部から入力される映像データに応じた画像を表示する液晶パネルと、
上記映像データを補正することにより、各画素の光透過率を制御するための画素データを生成する補正部と、を備えている液晶表示装置であって、
上記補正部は、上記映像データに基づいて上記絵素における青色の彩度指数を算出するとともに、上記彩度指数に応じて当該映像データを補正することを特徴とする液晶表示装置。
【請求項２】
上記補正部は、上記赤画素の光透過率を制御するための赤画素データを生成する赤画素補正部と、上記緑画素の光透過率を制御するための緑画素データを生成する緑画素補正部と、上記青画素の光透過率を制御するための青画素データを生成する青画素補正部と、を備えており、
上記赤画素補正部、上記緑画素補正部、および上記青画素補正部のそれぞれは、個別の補正値を用いて上記映像データを補正し、
上記赤画素補正部、上記緑画素補正部、および上記青画素補正部のうちの少なくとも何れか１つは、上記彩度指数に応じて上記映像データを補正することを特徴とする請求項１に記載の液晶表示装置。
【請求項３】
上記青画素補正部は、第１補正値および第２補正値に基づき、上記彩度指数に応じて上記補正値を決定し、
上記第１補正値は、低階調を表示するときの、赤画素、緑画素、および青画素の輝度バランスに基づいた補正値であり、
上記第２補正値は、上記赤画素補正部および上記緑画素補正部において用いられる補正値と同じ値であることを特徴とする請求項２に記載の液晶表示装置。
【請求項４】
上記青画素補正部は、
上記第１補正値を用いて上記映像データを補正して得られる第１青画素データを、上記映像データと対応付けて格納した第１青ＬＵＴと、
上記第２補正値を用いて上記映像データを補正して得られる第２青画素データを、上記映像データと対応付けて格納した第２青ＬＵＴと、
上記彩度指数に応じて、上記第１青画素データおよび上記第２青画素データに重み付けをして、上記青画素データを生成する青画素データ生成部を備えていることを特徴とする請求項３に記載の液晶表示装置。
【請求項５】
上記赤画素補正部および上記緑画素補正部は、第３補正値および第４補正値に基づき、上記彩度指数に応じて上記補正値を決定し、
上記第３補正値は、低階調を表示するときの、赤画素、緑画素、および青画素の輝度バランスに基づいた補正値であり、
上記第４補正値は、青画素補正部において用いられる補正値と同じ補正値であることを特徴とする請求項２に記載の液晶表示装置。
【請求項６】
上記赤画素補正部は、
上記第３補正値を用いて上記映像データを補正して得られる第２赤画素データを、上記映像データと対応付けて格納した第２赤ＬＵＴと、
上記第４補正値を用いて上記映像データを補正して得られる第１赤画素データを、上記映像データと対応付けて格納した第１赤ＬＵＴと、
上記彩度指数に応じて、上記第１赤画素データおよび上記第２赤画素データに重み付けをして、上記赤画素データを生成する赤画素データ生成部と、を備えており、
上記緑画素補正部は、
上記第３補正値を用いて上記映像データを補正して得られる第２緑画素データを、上記映像データと対応付けて格納した第２緑ＬＵＴと、
上記第４補正値を用いて上記映像データを補正して得られる第１緑画素データを、上記映像データと対応付けて格納した第１緑ＬＵＴと、
上記彩度指数に応じて、上記第１緑画素データおよび上記第２緑画素データに重み付けをして、上記緑画素データを生成する緑画素データ生成部と、を備えていることを特徴とする請求項５に記載の液晶表示装置。
【請求項７】
赤画素、緑画素、および青画素を含む絵素を有しており、外部から入力される映像データに応じた画像を表示する液晶パネルを備えている液晶表示装置において、上記映像データを補正することにより、各画素の光透過率を制御するための画素データを生成する画素データ処理方法であって、
上記映像データに基づいて上記絵素における青色の彩度指数を算出する算出ステップと、
上記彩度指数に応じて当該映像データを補正する補正ステップと、を含んでいることを特徴とする画素データ処理方法。
【発明の詳細な説明】
【技術分野】
【０００１】
本発明は液晶表示装置及び画素データ処理方法に関する。
【背景技術】
【０００２】
赤（Ｒ）、緑（Ｇ）、青（Ｂ）の３原色の画素を有する液晶表示装置において、コントラストを向上させるために種々の技術が用いられている。
【０００３】
例えば、特許文献１の映像表示装置は、入力映像信号の平均輝度レベルに対して最も適したガンマカーブを選択してガンマ補正をする。これにより、映像信号の明るさに相応したコントラスト感を改善することができる。
【０００４】
さらに、特許文献１の映像表示装置は、得られたガンマカーブに対して、輝度ヒストグラムを用いて度数頻度が多く、強調したい部分である特徴領域を解析し階調を伸張する。これにより、例えば、全体が高輝度映像の一部に低輝度が含まれている映像において、入力映像信号に対して複数のガンマカーブから最適なガンマカーブを算出し、コントラスト感を改善したい全ての領域の階調を伸張することができる。
【０００５】
また、特許文献２の液晶表示装置は、バックライトの輝度と液晶パネルの液晶素子の透過率との組み合わせにより表示輝度の自由度が高め、液晶パネルで再現可能な映像信号のダイナミックレンジを高めることができる。
【０００６】
さらに、特許文献２の液晶表示装置は、バックライトの輝度と環境照度を考慮してガンマカーブを設定し、階調信号に対してガンマ補正を施す。これにより、バックライトの輝度が低く環境照度が高い場合であっても、低階調の映像の視認性を向上させることができる。
【先行技術文献】
【特許文献】
【０００７】
【特許文献１】特許第４２７７７７３号公報（２００９年３月１９日登録）
【特許文献２】特許第４６６８３４２号公報（２０１１年１月２１日登録）
【発明の概要】
【発明が解決しようとする課題】
【０００８】
液晶表示装置は、液晶材料の性質、および直交配置の偏光層の透過率波長特性が短波長側で高いという液晶パネルの特性によって、階調の変化に伴ってＲＧＢの画素毎の輝度バランスが変化する。
【０００９】
そのため、ガンマ補正をする際に、ＲＧＢ全ての入力映像信号に対して共通のガンマカーブを用いてガンマ補正をした場合、階調によって色相が変化してしまう。特に、無彩色を表示する場合、ホワイトバランスを適切に設計することによって高階調である白色を表示できたとしても、低階調のときに赤画素および緑画素に比べて青画素の明度が高くなり、赤画素、緑画素、青画素の輝度バランスが変化することによって正確に無彩色（黒色）を表示することができなくなるため、表示品位が低下する。
【００１０】
特許文献１の映像表示装置および特許文献２の液晶表示装置は、ＲＧＢの画素毎にガンマカーブを調節する構成を有していないため、低階調のときに赤画素および緑画素に比べて青画素の明度が高くなり、表示品位が低下する。
【００１１】
本発明は、上記の課題に鑑みなされたものであって、その目的は、階調の変化に伴い各色の画素の輝度バランスが変化することによる表示品位の低下を抑制した液晶表示装置および画素データ処理方法を提供することにある。
【課題を解決するための手段】
【００１２】
上記の課題を解決するために、本発明の一態様に係る液晶表示装置は、赤画素、緑画素、および青画素を含む絵素を有しており、外部から入力される映像データに応じた画像を表示する液晶パネルと、上記映像データを補正することにより、各画素の光透過率を制御するための画素データを生成する補正部と、を備えている液晶表示装置であって、上記補正部は、上記映像データに基づいて上記絵素における青色の彩度指数を算出するとともに、上記彩度指数に応じて当該映像データを補正することを特徴とする。
【００１３】
また、上記の課題を解決するために、本発明の一態様に係る画素データ処理方法は、赤画素、緑画素、および青画素を含む絵素を有しており、外部から入力される映像データに応じた画像を表示する液晶パネルを備えている液晶表示装置において、上記映像データを補正することにより、各画素の光透過率を制御するための画素データを生成する画素データ処理方法であって、上記映像データに基づいて上記絵素における青色の彩度指数を算出する算出ステップと、上記彩度指数に応じて当該映像データを補正する補正ステップと、を含んでいることを特徴とする。
【発明の効果】
【００１４】
本発明の一態様によれば、階調の変化に伴い各色の画素の輝度バランスが変化することによる表示品位の低下を抑制した液晶表示装置および画素データ処理方法を提供することができる。
【図面の簡単な説明】
【００１５】
【図１】本発明の実施形態１に係る液晶表示装置の構成を示すブロック図である。
【図２】実施形態１に係る液晶表示装置の色補正部の構成を示すブロック図である。
【図３】実施形態１に係る液晶表示装置のＢＬＵＴ選択部における処理の流れを示すフローチャートである。
【図４】（ａ）は、Ｂ２ＬＵＴに格納されたガンマテーブルが示すガンマカーブであり、（ｂ）は、Ｂ１ＬＵＴに格納されたガンマテーブルが示すガンマカーブである。
【図５】（ａ）は従来の液晶表示装置における階調と白色表示の際の色温度との関係を示すグラフであり、（ｂ）は従来の液晶表示装置におけるガンマ補正に適用されるガンマカーブであり、（ｃ）は実施形態１の液晶表示装置における階調と白色表示の際の色温度との関係を示すグラフであり、（ｄ）は実施形態１の液晶表示装置において青色の彩度指数が高い場合のガンマ補正に適用されるガンマカーブである。
【図６】本発明の実施形態２に係る液晶表示装置の色補正部の構成を示すブロック図である。
【図７】実施形態２に係る液晶表示装置のＢＬＵＴ合成部における処理の流れを示すフローチャートである。
【図８】実施形態２に係る液晶表示装置のＢＬＵＴ合成部における青色の彩度指数とＬＵＴの合成割合との関係を示すグラフである。
【図９】（ａ）は、Ｂ２ＬＵＴに格納されたガンマテーブルが示すガンマカーブであり、（ｂ）は、Ｂ２ＬＵＴに格納されたガンマテーブルとＢ１ＬＵＴに格納されたガンマテーブルとが示すガンマカーブであり、（ｃ）は、Ｂ１ＬＵＴに格納されたガンマテーブルが示すガンマカーブである。
【図１０】（ａ）は実施形態２の液晶表示装置における階調と白色表示の際の色温度との関係を示すグラフであり、（ｂ）は実施形態２の液晶表示装置において青色の彩度指数が高い場合のガンマ補正に適用されるガンマカーブである。
【図１１】実施形態３に係る液晶表示装置のＢＬＵＴ合成部における青色の彩度指数とＬＵＴの合成割合との関係を示すグラフである。
【図１２】実施形態４に係る液晶表示装置の色補正部の構成を示すブロック図である。
【図１３】実施形態４に係る液晶表示装置のＲＬＵＴ合成部およびＧＬＵＴ合成部における処理の流れを示すフローチャートである。
【発明を実施するための形態】
【００１６】
〔実施形態１〕
以下、本発明の実施の形態について、図１〜図５に基づいて詳細に説明する。
【００１７】
＜液晶表示装置の全体構成＞
図１は、本実施形態に係る液晶表示装置の構成を示すブロック図である。
【００１８】
図１に示すように、液晶表示装置１は、画像処理部２と、タイミングコントローラ３・４と、液晶ドライバー５・６と、液晶パネル７とを備えている。
【００１９】
液晶パネル７は、複数の絵素を備えている。各絵素は、互いに異なる色の光を出射する複数の画素からなり、例えば、赤画素、緑画素、および青画素（図示省略）を含んでいる。
【００２０】
液晶パネル７には、複数の画素列にそれぞれ対応して設けられた複数のソース線（図示省略）と、複数の画素行にそれぞれ対応して設けられた複数のゲート線（図示省略）とが設けられている。
【００２１】
各画素がＴＦＴ（Ｔｈｉｎ  Ｆｉｌｍ  Ｔｒａｎｓｉｓｔｏｒ：薄膜トランジスタ）を有するアクディブマトリクス駆動方式の場合、ソース線は対応のＴＦＴのソースに接続され、ゲート線は対応のＴＦＴのゲートに接続される。また、ＴＦＴのドレインは、液晶層を挟む一方の電極である画素電極に接続される。
【００２２】
画像処理部２には、外部入力信号として映像データが入力され、画像処理部２は、映像データに基づいて、液晶パネル７の各画素における開口率（光透過率）を制御するための画素データを生成し、タイミングコントローラ３・４に出力する。
【００２３】
タイミングコントローラ３・４は、画素データに基づいて、液晶ドライバー５・６の動作を制御するための各種制御信号を生成し、液晶ドライバー５・６に出力する。図１に示す本実施形態の液晶表示装置１は、２つのタイミングコントローラを備えているものとして説明するが、液晶表示装置１の構成はこれに限定されない。液晶表示装置１は、１つのタイミングコントローラを備えた構成であってもよいし、３つ以上のタイミングコントローラを備えた構成であってもよい。
【００２４】
液晶ドライバー５・６は、ソース線にデータ信号を供給するソースドライバと、ゲート線に走査信号を供給するゲートドライバとを含んでいる。ゲートドライバは、タイミングコントローラ３・４から入力された制御信号に基づいて、ゲート線を順次走査するための走査信号を生成する。ソースドライバは、タイミングコントローラ３・４から入力された制御信号に基づいて、各画素の画素電極に供給するための所定電圧のデータ信号を生成する。
【００２５】
複数のゲート線に順々に走査信号が供給されることによって、各画素行は順々に選択状態とされる。ソース線にデータ信号が供給されると、そのソース線に接続された選択状態の画素において、液晶層の光透過率がデータ信号に応じて変化する。そして、液晶層の光透過率に応じた透過光がＲＧＢのカラー・フィルタに照射され、赤画素からは赤色光が出射され、緑画素からは緑色光が出射され、青画素からは青色光が出射される。これにより、液晶パネル７に、各画素からの出射光に応じた画像が表示される。
【００２６】
＜画像処理部＞
画像処理部２は、入力ＩＦ部２１と、映像処理部２２と、色補正部１０（補正部）とを備えている。
【００２７】
入力ＩＦ部２１は、外部から入力される映像データのデータ形式を、映像処理部２２において処理可能なデータ形式に変換し、変換後の映像データを映像処理部２２に出力する。具体的には、入力ＩＦ部２１は、映像データのデータ形式がＹＵＶ形式であれば、ＲＧＢ形式に変換することによって、赤画素に対応する赤映像データ、緑画素に対応する緑映像データ、および青画素に対応する青映像データに変換する。
【００２８】
映像処理部２２は、入力ＩＦ部２１によってフォーマット変換されたＲＧＢの各映像データに対して、ゲイン調整およびバイアス調整などの各種映像処理を行い、処理後の映像データ（Ｒｉｎ・Ｇｉｎ・Ｂｉｎ）を色補正部１０に出力する。
【００２９】
色補正部１０は、映像処理部２２から供給された、赤映像データＲｉｎ、緑映像データＧｉｎ、および青映像データＢｉｎのそれぞれに対してガンマ補正を施すことによって、各画素における光透過率を制御するための画素データ（Ｒｏｕｔ・Ｇｏｕｔ・Ｂｏｕｔ）を生成し、画素データをタイミングコントローラ３・４に出力する。これにより、液晶パネル７に表示する画像の色調整を行う。
【００３０】
なお、映像データ（Ｒｉｎ・Ｇｉｎ・Ｂｉｎ）および画素データ（Ｒｏｕｔ・Ｇｏｕｔ・Ｂｏｕｔ）は、例えば、８ビットのデータであってもよい。
【００３１】
＜色補正部＞
図２は、本実施形態に係る液晶表示装置の色補正部の構成を示すブロック図である。
【００３２】
図２に示すように、色補正部１０は、赤ルックアップテーブル（ＲＬＵＴ１１）と、緑ルックアップテーブル（ＧＬＵＴ１２）と、第１青ルックアップテーブル（Ｂ１ＬＵＴ１３）と、第２青ルックアップテーブル（Ｂ２ＬＵＴ１４）と、ＢＬＵＴ選択部１５とを備えている。
【００３３】
（赤ルックアップテーブル）
ＲＬＵＴ１１（赤画素補正部）は、赤映像データＲｉｎに対してガンマ値Ａ（第２補正値）を用いてガンマ補正を施すことによって赤画素データＲｏｕｔを生成する一次元のルックアップテーブルである。
【００３４】
ＲＬＵＴ１１には、ガンマ値Ａを用いて赤映像データＲｉｎをガンマ補正することによって得られる赤画素データＲｏｕｔが、赤映像データＲｉｎと対応付けて格納されている。すなわち、ＲＬＵＴ１１は、赤映像データＲｉｎと赤画素データＲｏｕｔとを対応付けたガンマテーブルを備えている。
【００３５】
ＲＬＵＴ１１には赤映像データＲｉｎが入力され、ＲＬＵＴ１１は赤映像データＲｉｎに対して赤画素データＲｏｕｔの値を返し、赤画素データＲｏｕｔをタイミングコントローラ３・４に出力する。
【００３６】
（緑ルックアップテーブル）
ＧＬＵＴ１２（緑画素補正部）は、緑映像データＧｉｎに対してガンマ値Ａ（第２補正値）を用いてガンマ補正を施すことによって緑画素データＧｏｕｔを生成する一次元のルックアップテーブルである。
【００３７】
ＧＬＵＴ１２には、ガンマ値Ａを用いて緑映像データＧｉｎをガンマ補正することによって得られる緑画素データＧｏｕｔが、緑映像データＧｉｎと対応付けて格納されている。すなわち、ＧＬＵＴ１２は、緑映像データＧｉｎと緑画素データＧｏｕｔとを対応付けたガンマテーブルを備えている。
【００３８】
ＧＬＵＴ１２には緑映像データＧｉｎが入力され、ＧＬＵＴ１２は緑映像データＧｉｎに対して緑画素データＧｏｕｔの値を返し、緑画素データＧｏｕｔをタイミングコントローラ３・４に出力する。
【００３９】
（青ルックアップテーブル）
Ｂ１ＬＵＴ１３は、青映像データＢｉｎに対してガンマ値Ｂ（第１補正値）を用いてガンマ補正を施すことによって第１青画素データＢ１を生成する一次元のルックアップテーブルである。
【００４０】
Ｂ１ＬＵＴ１３には、ガンマ値Ｂを用いて青映像データＢｉｎをガンマ補正することによって得られる第１青画素データＢ１が、青映像データＢｉｎと対応付けて格納されている。すなわち、Ｂ１ＬＵＴ１３は、青映像データＢｉｎと第１青画素データＢ１とを対応付けたガンマテーブルを備えている。
【００４１】
Ｂ１ＬＵＴ１３には青映像データＢｉｎが入力され、Ｂ１ＬＵＴ１３は青映像データＢｉｎに対して第１青画素データＢ１の値を返し、第１青画素データＢ１をＢＬＵＴ選択部１５に出力する。
【００４２】
Ｂ２ＬＵＴ１４は、青映像データＢｉｎに対してガンマ値Ａ（第２補正値）を用いてガンマ補正を施すことによって第２青画素データＢ２を生成する一次元のルックアップテーブルである。
【００４３】
Ｂ２ＬＵＴ１４には、ガンマ値Ａを用いて青映像データＢｉｎをガンマ補正することによって得られる第２青画素データＢ２が、青映像データＢｉｎと対応付けて格納されている。すなわち、Ｂ２ＬＵＴ１４は、青映像データＢｉｎと第２青画素データＢ２とを対応付けたガンマテーブルを備えている。
【００４４】
Ｂ２ＬＵＴ１４には青映像データＢｉｎが入力され、Ｂ２ＬＵＴ１４は青映像データＢｉｎに対して第２青画素データＢ２の値を返し、第２青画素データＢ２をＢＬＵＴ選択部１５に出力する。
【００４５】
上記のように、ＲＬＵＴ１１におけるガンマ補正に用いられるガンマ値と、ＧＬＵＴ１２におけるガンマ補正に用いられるガンマ値と、Ｂ２ＬＵＴ１４におけるガンマ補正に用いられるガンマ値とは、何れもガンマ値Ａである。一方で、Ｂ１ＬＵＴ１３におけるガンマ補正に用いられるガンマ値はガンマ値Ｂであり、ガンマ値Ａとは異なる。
【００４６】
ガンマ値Ａは、従来の一般的なガンマ補正に用いられるガンマ値であり、彩度の高い青色を表示することによって正確な青表示をするためのガンマ値である。ガンマ値Ｂは、ＲＧＢ各色の画素のホワイトバランス（輝度バランス）を適切に保つことによって正確な白表示をするためのガンマ値である。ガンマ値Ｂはガンマ値Ａよりも大きく、例えば、ガンマ値Ａをγ＝２．２とし、ガンマ値Ｂをγ＝２．４としてもよい。
【００４７】
色補正部１０は、赤画素補正部と、緑画素補正部と、青画素補正部とを備えている。そのため、各色の補正部は個別の補正値を用いて各色の映像データを補正して各色の画素データを生成することができる。これにより、透過率波長特性を補償して、ＲＧＢの画素毎の輝度バランスを改善することができる。
【００４８】
（ＢＬＵＴ選択部）
ＢＬＵＴ選択部１５は、Ｂ１ＬＵＴ１３およびＢ２ＬＵＴ１４とともに青画素補正部を構成している。
【００４９】
ＢＬＵＴ選択部１５は、赤映像データＲｉｎと、緑映像データＧｉｎと、青映像データＢｉｎとに基づいて、液晶パネル７に表示すべき画像の各絵素における青色の彩度指数を算出する（算出ステップ）。
【００５０】
また、ＢＬＵＴ選択部１５は、各絵素における青色の彩度指数に応じて、第１青画素データＢ１および第２青画素データＢ２のうち何れか一方を、青画素データＢｏｕｔとして出力する。
【００５１】
これにより、Ｂ１ＬＵＴ１３、Ｂ２ＬＵＴ１４、およびＢＬＵＴ選択部１５は、青色の彩度指数に応じて青映像データＢｉｎをガンマ補正し（補正ステップ）、ガンマ補正によって得られた青画素データＢｏｕｔを出力する。
【００５２】
以下、本実施形態の液晶表示装置１の色補正部１０における画素データ処理方法について、図３を参照して説明する。
【００５３】
図３は、本実施形態に係る液晶表示装置のＢＬＵＴ選択部における処理の流れを示すフローチャートである。
【００５４】
第１に、ＢＬＵＴ選択部１５に、映像処理部２２から各色の映像データ（Ｒｉｎ、Ｇｉｎ、Ｂｉｎ）が入力される（ステップ１）。
【００５５】
次に、ＢＬＵＴ選択部１５は、映像データ（Ｒｉｎ、Ｇｉｎ、Ｂｉｎ）に基づいて液晶パネル７に表示すべき画像の各絵素における青色の彩度指数を、以下の式（１）に基づいて色比率Ｂｓとして算出する（算出ステップ）。
Ｂｓ＝（Ｒ＋Ｇ）／Ｂ      （１）
ここで、Ｒは赤映像データＲｉｎによって定められる赤画素の光透過率（または輝度）に比例する値であり、Ｇは緑映像データＧｉｎによって定められる緑画素の光透過率（または輝度）に比例する値であり、Ｂは青映像データＢｉｎによって定められる青画素の光透過率（または輝度）に比例する値である。
【００５６】
上記式（１）に示すように、色比率Ｂｓは、青画素の光透過率に比例する値に対する、赤画素の光透過率に比例する値および緑画素の光透過率に比例する値の和の比率として表される。そのため、色比率Ｂｓが小さいほど絵素における青色の彩度指数は大きく、色比率が大きいほど各絵素における青色の彩度指数は小さい。
【００５７】
さらに、ＢＬＵＴ選択部１５は、色比率Ｂｓと閾値Ｐとを比較し、色比率Ｂｓが閾値Ｐより大きな値であるか否かを判定する（ステップ２）。
【００５８】
そして、色比率Ｂｓが閾値Ｐより大きな値である場合（ステップ２でＹｅｓ）、ＢＬＵＴ選択部１５は、第１青画素データＢ１を青画素データＢｏｕｔとして決定し（ステップ３）、青画素データＢｏｕｔをタイミングコントローラ３・４に出力する（ステップ５）。
【００５９】
一方で、色比率Ｂｓが閾値Ｐ以下の値であった場合（ステップ２でＮｏ）、ＢＬＵＴ選択部１５は、第２青画素データＢ２を青画素データＢｏｕｔとして決定し（ステップ４）、青画素データＢｏｕｔをタイミングコントローラ３・４に出力する（ステップ５）。
【００６０】
このように、ＢＬＵＴ選択部１５は、色比率Ｂｓの値が閾値Ｐよりも大きい場合（青色の彩度指数が所定値より小さい場合）、ホワイトバランス（ＲＧＢ各色の輝度バランス）を保つことを重視するために、ガンマ値Ｂ（γ＝２．４）を用いて青映像データＢｉｎをガンマ補正することによって得られた第１青画素データＢ１を、青画素データＢｏｕｔとして出力する。
【００６１】
一方で、ＢＬＵＴ選択部１５は、色比率Ｂｓの値が閾値Ｐ以下である場合（青色の彩度指数が所定値以上である場合）、正確な青表示をするために、ＲＬＵＴ１１およびＧＬＵＴ１２のガンマ値と同じガンマ値Ａ（γ＝２．２）を用いて青映像データＢｉｎをガンマ補正することによって得られた第２青画素データＢ２を、青画素データＢｏｕｔとして出力する。
【００６２】
なお、上記の例では、青映像データＢｉｎをガンマ補正するためのＬＵＴとして、Ｂ１ＬＵＴ１３とＢ２ＬＵＴとを備えている色補正部１０について説明したが、色補正部１０の構成はこれに限られない。色補正部１０は、青映像データＢｉｎをガンマ補正するための複数のＬＵＴを備えていればよく、３つ以上のＬＵＴを備えていてもよい。
【００６３】
閾値Ｐは、液晶表示装置１の用途に応じて予め適宜設定された値であり、０以上の如何なる値であってもよい。閾値Ｐの値が低い場合、広範囲の青色の彩度指数に亘ってホワイトバランスを保つことができ、閾値Ｐの値が高い場合、青色の彩度を強調してより正確な青表示をすることができる。
【００６４】
＜ガンマカーブ＞
図４の（ａ）は、Ｂ２ＬＵＴに格納されたガンマテーブルが示すガンマカーブであり、図４の（ｂ）は、Ｂ１ＬＵＴに格納されたガンマテーブルが示すガンマカーブである。
【００６５】
図中、ガンマカーブＡは、ガンマ値Ａに対応するガンマカーブであり、ガンマカーブＢは、ガンマ値Ｂに対応するガンマカーブである。
【００６６】
ガンマカーブＡは、正確な青表示をすることを重視して青映像データＢｉｎをガンマ補正するためのガンマ値Ａに対応するガンマカーブである。
【００６７】
ガンマカーブＢは、低階調表示の際のホワイトバランス（輝度バランス）を保つことを重視して青映像データＢｉｎをガンマ補正するためのガンマ値Ｂに対応するガンマカーブである。
【００６８】
青色の彩度指数が高い場合には、ＢＬＵＴ選択部１５は、図４の（ａ）に示すガンマカーブＡを用いたガンマ補正によって得られた第２青画素データＢ２を青画素データＢｏｕｔとして出力する。
【００６９】
青色の彩度指数が低い場合には、ＢＬＵＴ選択部１５は、図４の（ｂ）に示すガンマカーブＢを用いたガンマ補正によって得られた第１青画素データＢ１を青画素データＢｏｕｔとして出力する。
【００７０】
すなわち、青画素補正部（Ｂ１ＬＵＴ１３、Ｂ２ＬＵＴ１４、およびＢＬＵＴ選択部１５）は、青映像データＢｉｎを、青色の彩度指数に応じたガンマ値（ガンマカーブ）に基づいてガンマ補正をする。
【００７１】
図５の（ａ）は従来の液晶表示装置における階調と白色表示の際の色温度との関係を示すグラフであり、図５の（ｂ）は従来の液晶表示装置におけるガンマ補正に適用されるガンマカーブであり、図５の（ｃ）は本実施形態の液晶表示装置における階調と白色表示の際の色温度との関係を示すグラフであり、図５の（ｄ）は本実施形態の液晶表示装置において青色の彩度指数が高い場合のガンマ補正に適用されるガンマカーブである。
【００７２】
従来の液晶表示装置のように、青色純色のガンマカーブを正しくすると（ガンマ補正に用いられる各色のガンマカーブを何れもガンマカーブＡとすると）、図５の（ａ）に示すように、低階調側で色温度が高くなり、正確な無彩色表示をすることができない。
【００７３】
そこで、ホワイトバランスを重視し、低階調側で色温度が高くなることを抑制するために、青映像データをガンマ補正するためのガンマ値をより大きな値に変更することが考えられる。
【００７４】
しかしながら、図５の（ｂ）に示すように、青映像データをガンマ補正するためのガンマ値をガンマ値Ａからガンマ値Ｂに変更した場合、本来の青表示に適したガンマカーブＡとは異なるガンマカーブＢを用いてガンマ補正をすることとなる。その結果、正確な青表示をすることができなくなる。
【００７５】
これに対して、本実施形態の液晶表示装置１のＢＬＵＴ選択部１５は、青色の彩度指数に応じて、ガンマカーブＡおよびガンマカーブＢを使い分けて青映像データＢｉｎに対してガンマ補正を施す。
【００７６】
そのため、無彩色表示をする場合など、青色の彩度指数が小さい場合には、ホワイトバランスを重視したガンマカーブＢを用いてガンマ補正をする。これにより、図５の（ｃ）に示すように、各色の画素の輝度バランスが変化することによる低階調側での色温度の上昇を抑制することができる。その結果、表示品位の低下を抑制することができる。
【００７７】
さらに、青色の彩度指数が高い場合には、ガンマカーブＡを用いてガンマ補正をする。これにより、図５の（ｄ）に示すように、本来の青表示に適したガンマカーブＡを用いてガンマ補正をすることができる。その結果、正確な青表示をすることができる。
【００７８】
このように、液晶表示装置１によれば、階調の変化に伴い各色の画素の輝度バランスが変化することによる表示品位の低下を抑制しつつ、正確な青表示をすることができる。
【００７９】
〔実施形態２〕
本発明の他の実施形態について、図６〜図１０に基づいて説明すれば、以下のとおりである。なお、説明の便宜上、前記実施形態にて説明した部材と同じ機能を有する部材については、同じ符号を付記し、その説明を省略する。
【００８０】
図６は、本実施形態に係る液晶表示装置の色補正部の構成を示すブロック図である。
【００８１】
図６に示すように、色補正部２０は、ＢＬＵＴ選択部１５に代えてＢＬＵＴ合成部２５（補正値演算部）を備えている点を除けば、実施形態１の色補正部１０と同じ構成を有している。
【００８２】
（ＢＬＵＴ合成部）
ＢＬＵＴ合成部２５は、Ｂ１ＬＵＴ１３およびＢ２ＬＵＴ１４とともに青画素補正部を構成している。
【００８３】
ＢＬＵＴ合成部２５は、表示画像における青色の彩度指数に応じて、第１青画素データＢ１および第２青画素データＢ２に基づいて青画素データＢｏｕｔを生成し、青画素データＢｏｕｔを出力する。
【００８４】
これにより、Ｂ１ＬＵＴ１３、Ｂ２ＬＵＴ１４、およびＢＬＵＴ合成部２５は、青色の彩度指数に応じて青映像データＢｉｎをガンマ補正し（補正ステップ）、ガンマ補正によって得られた青画素データＢｏｕｔを出力する。
【００８５】
図７は、本実施形態に係る液晶表示装置のＢＬＵＴ合成部における処理の流れを示すフローチャートである。
【００８６】
第１に、ＢＬＵＴ合成部２５に、映像処理部２２から各色の映像データ（Ｒｉｎ、Ｇｉｎ、Ｂｉｎ）が入力される（ステップ１１）。
【００８７】
次に、ＢＬＵＴ合成部２５は、実施形態１で説明した式（１）に基づいて、色比率Ｂｓを算出する（算出ステップ）。
【００８８】
さらに、ＢＬＵＴ合成部２５は、色比率Ｂｓと閾値Ｐとを比較し、色比率Ｂｓが閾値Ｐより大きな値であるか否かを判定する（ステップ１２）。
【００８９】
そして、色比率Ｂｓが閾値Ｐより大きな値である場合（ステップ１２でＹｅｓ）、ＢＬＵＴ合成部２５は、第１青画素データＢ１を青画素データＢｏｕｔとして決定し（ステップ１３）、青画素データＢｏｕｔをタイミングコントローラ３・４に出力する（ステップ１５）。
【００９０】
一方で、色比率Ｂｓが閾値Ｐ以下の値であった場合（ステップ１２でＮｏ）、ＢＬＵＴ合成部２５は、以下の式（２）に基づいて第１青画素データＢ１と第２青画素データＢ２とに重み付けをすることによって、青画素データＢｏｕｔを決定し（ステップ１３）、青画素データＢｏｕｔをタイミングコントローラ３・４に出力する（ステップ１５）。
Ｂｏｕｔ＝（Ｂｓ／Ｐ）×Ｂ１＋（１−Ｂｓ／Ｐ）×Ｂ２      （２）
このように、ＢＬＵＴ合成部２５は、色比率Ｂｓの値が閾値Ｐよりも大きい場合（青色の彩度指数が所定値より小さい場合）、ホワイトバランス（ＲＧＢ各色の輝度バランス）を保つことを重視するために、ガンマ値Ｂ（γ＝２．４）を用いて青映像データＢｉｎをガンマ補正することによって得られた第１青画素データＢ１を、青画素データＢｏｕｔとして出力する。
【００９１】
一方で、ＢＬＵＴ合成部２５は、色比率Ｂｓの値が閾値Ｐ以下である場合（青色の彩度指数が所定値以上である場合）、正確な青表示をするために、ＲＬＵＴ１１およびＧＬＵＴ１２のガンマ値と同じガンマ値Ａ（γ＝２．２）を用いて青映像データＢｉｎをガンマ補正することによって得られた第２青画素データＢ２と、第１青画素データＢ１とを、式（２）に示すように色比率Ｂｓの値に応じた合成比で合成する。そして、第２青画素データＢ２と第１青画素データＢ１とを合成することによって得られた値を、青画素データＢｏｕｔとして出力する。
【００９２】
図８は、本実施形態に係る液晶表示装置のＢＬＵＴ合成部における青色の彩度指数とＬＵＴの合成割合との関係を示すグラフである。図中、横軸は色比率Ｂｓの値を示し、縦軸は第２青画素データＢ２の合成割合を示す。
【００９３】
図８に示すように、色比率Ｂｓが閾値Ｐよりも大きい場合、ＢＬＵＴ合成部２５は、第１青画素データＢ１を青画素データＢｏｕｔとする。
【００９４】
一方で、色比率Ｂｓの値が閾値Ｐ以下である場合、ＢＬＵＴ合成部２５は、第２青画素データＢ２と第１青画素データＢ１とを、色比率Ｂｓの値に応じた合成比で合成する。より具体的には、ＢＬＵＴ合成部２５は、第２青画素データＢ２と第１青画素データＢ１とを、色比率Ｂｓの値に応じて線形的にブレンド（合成）する。そして、第２青画素データＢ２と第１青画素データＢ１とをブレンドすることによって得られた値を、青画素データＢｏｕｔとする。
【００９５】
なお、色比率Ｂｓの値が閾値Ｐ以下である場合、色比率Ｂｓの値が小さいほど（青色の彩度指数が大きいほど）、第２青画素データＢ２の合成割合は大きくなり、青画素データＢｏｕｔは、ガンマ値Ａでガンマ補正された青画素データに近づく。
【００９６】
図８および式（２）からわかるように、色比率Ｂｓの値が０の場合（Ｒ＝Ｇ＝０の場合）、ＢＬＵＴ合成部２５は、第２青画素データＢ２を青画素データＢｏｕｔとして出力する。色比率Ｂｓの値が閾値Ｐと同じである場合、ＢＬＵＴ合成部２５は、第１青画素データＢ１を青画素データＢｏｕｔとして出力する。色比率Ｂｓの値が０から閾値Ｐまでの範囲内の値である場合、ＢＬＵＴ合成部２５は、第２青画素データＢ２と第１青画素データＢ１とを線形的にブレンドすることによって得られた値を青画素データＢｏｕｔとして出力する。
【００９７】
＜ガンマカーブ＞
図９の（ａ）は、Ｂ２ＬＵＴに格納されたガンマテーブルが示すガンマカーブであり、図９の（ｂ）は、Ｂ２ＬＵＴに格納されたガンマテーブルとＢ１ＬＵＴに格納されたガンマテーブルとが示すガンマカーブであり、図９の（ｃ）は、Ｂ１ＬＵＴに格納されたガンマテーブルが示すガンマカーブである。
【００９８】
図中、ガンマカーブＡは、ガンマ値Ａに対応するガンマカーブであり、ガンマカーブＢは、ガンマ値Ｂに対応するガンマカーブである。
【００９９】
ガンマカーブＡは、正確な青表示をすることを重視して青映像データＢｉｎをガンマ補正するためのガンマ値Ａに対応するガンマカーブである。
【０１００】
ガンマカーブＢは、低階調表示の際のホワイトバランス（輝度バランス）を保つことを重視して青映像データＢｉｎをガンマ補正するためのガンマ値Ｂに対応するガンマカーブである。
【０１０１】
青色の彩度指数が高い場合には、ＢＬＵＴ合成部２５は、主に、図９の（ａ）に示すガンマカーブＡを用いたガンマ補正によって得られた第２青画素データＢ２を、青画素データＢｏｕｔとして出力する。
【０１０２】
青色の彩度指数が低い場合には、ＢＬＵＴ合成部２５は、主に、図９の（ｃ）に示すガンマカーブＢを用いたガンマ補正によって得られた第１青画素データＢ１を、青画素データＢｏｕｔとして出力する。
【０１０３】
青色の彩度指数が所定の範囲内の値である場合（０＜Ｂｓ≦Ｐの場合）には、ＢＬＵＴ合成部２５は、青色の彩度指数に応じて、図９の（ｂ）に示すガンマカーブＡとガンマカーブＢとの間の領域に含まれる仮想のガンマカーブを用いたガンマ補正によって得られた青画素データを、青画素データＢｏｕｔとして出力する。
【０１０４】
また、ＢＬＵＴ合成部２５は、青映像データＢｉｎをガンマ補正するためのガンマカーブ（ガンマ補正値）を、色比率に応じて（青色の彩度指数に応じて）連続的に変化させることができる。
【０１０５】
すなわち、青画素補正部（Ｂ１ＬＵＴ１３、Ｂ２ＬＵＴ１４、およびＢＬＵＴ合成部２５）は、青映像データＢｉｎを、青色の彩度指数に応じたガンマ値（ガンマカーブ）に基づいてガンマ補正をする。
【０１０６】
図１０の（ａ）は本実施形態の液晶表示装置における階調と白色表示の際の色温度との関係を示すグラフであり、図１０の（ｂ）は本実施形態の液晶表示装置において青色の彩度指数が高い場合のガンマ補正に適用されるガンマカーブである。
【０１０７】
本実施形態の液晶表示装置のＢＬＵＴ合成部２５は、青色の彩度指数に応じて、ガンマカーブＡおよびガンマカーブＢを使いわけて青映像データＢｉｎに対してガンマ補正を施す。
【０１０８】
そのため、無彩色表示をする場合など、青色の彩度指数が小さい場合には、ホワイトバランスを重視したガンマカーブＢを用いてガンマ補正をする。これにより、図１０の（ａ）に示すように、各色の画素の輝度バランスが変化することによる低階調側での色温度の上昇を抑制することができる。その結果、表示品位の低下を抑制することができる。
【０１０９】
さらに、青色の彩度指数が高い場合には、図１０の（ｂ）に示すように、青色の彩度指数に応じてガンマカーブＡおよびガンマカーブＢを滑らかに合成して得られる仮想のガンマカーブＣを用いてガンマ補正をする。これにより、青色の彩度指数に応じて最適なガンマカーブＣを用いてガンマ補正をすることができる。その結果、正確な青表示をすることができる。
【０１１０】
〔実施形態３〕
本発明の他の実施形態について、図１１に基づいて説明すれば、以下のとおりである。なお、説明の便宜上、前記実施形態にて説明した部材と同じ機能を有する部材については、同じ符号を付記し、その説明を省略する。
【０１１１】
本発明の液晶表示装置において、第１青画素データＢ１と第２青画素データＢ２との合成の仕方は、実施形態２で例示したものに限定されない。以下に示すように、ＢＬＵＴ合成部は、閾値Ｐおよび閾値Ｑに対する色比率Ｂｓの値に応じた合成比で、第１青画素データＢ１と第２青画素データＢ２とを合成してもよい。
【０１１２】
図１１は、本実施形態に係る液晶表示装置のＢＬＵＴ合成部における青色の彩度指数とＬＵＴの合成割合との関係を示すグラフである。図中、横軸は色比率Ｂｓの値を示し、縦軸は第２青画素データＢ２の合成割合を示す。
【０１１３】
図１１に示すように、色比率Ｂｓが閾値Ｐよりも大きい場合（Ｐ＜Ｂｓ）、ＢＬＵＴ合成部２５は、第１青画素データＢ１を青画素データＢｏｕｔとして出力する。
【０１１４】
一方で、色比率Ｂｓが閾値Ｑ以上閾値Ｐ以下である場合（Ｑ≦Ｂｓ≦Ｐ）、ＢＬＵＴ合成部２５は、第２青画素データＢ２と第１青画素データＢ１とを、色比率Ｂｓの値に応じた合成比で合成する。これにより、以下の式（３）で表される青画素データＢｏｕｔを生成して出力する。
Ｂｏｕｔ＝｛（Ｂｓ−Ｑ）／（Ｐ−Ｑ）｝×Ｂ１＋｛（Ｂｓ−Ｐ）／（Ｐ−Ｑ）｝×Ｂ２      （３）
また、色比率Ｂｓが閾値Ｑよりも小さい場合（Ｂｓ＜Ｑ）、ＢＬＵＴ合成部２５は、第２青画素データＢ２を青画素データＢｏｕｔとして出力する。
【０１１５】
このように、ＢＬＵＴ合成部は、２以上の閾値に対する色比率Ｂｓの値に応じた合成比で、第１青画素データＢ１と第２青画素データＢ２とを合成することによって青画素データＢｏｕｔを生成してもよい。
【０１１６】
また、色比率Ｂｓが閾値Ｑ以上閾値Ｐ以下である場合（Ｑ≦Ｂｓ≦Ｐ）、第２青画素データＢ２と第１青画素データＢ１との合成方法（重み付けの方法）は、第２青画素データＢ２と第１青画素データＢ１とを色比率Ｂｓの値に応じて線形的にブレンド（合成）する方法に限られない。
【０１１７】
例えば、第２青画素データＢ２と第１青画素データＢ１とを、色比率Ｂｓの値に応じて指数関数的にブレンド（合成）してもよい。
【０１１８】
〔実施形態４〕
本発明の他の実施形態について、図１２〜図１３に基づいて説明すれば、以下のとおりである。なお、説明の便宜上、前記実施形態にて説明した部材と同じ機能を有する部材については、同じ符号を付記し、その説明を省略する。
【０１１９】
図１２は、本実施形態に係る液晶表示装置の色補正部の構成を示すブロック図である。
【０１２０】
図１２に示すように、本実施形態の液晶表示装置は、色補正部３０が、ＲＬＵＴ合成部３１と、Ｒ１ＬＵＴ３２と、Ｒ２ＬＵＴ３３と、ＧＬＵＴ合成部３４と、Ｇ１ＬＵＴ３５と、Ｇ２ＬＵＴ３６と、ＢＬＵＴ３７とを備えている点を除けば、実施形態１の液晶表示装置１と同じ構成を有している。
【０１２１】
（赤ルックアップテーブル）
Ｒ１ＬＵＴ３２は、赤映像データＲｉｎに対してガンマ値Ｄ（第４補正値）を用いてガンマ補正を施すことによって第１赤画素データＲ１を出力する一次元のルックアップテーブルである。
【０１２２】
Ｒ１ＬＵＴ３２には、ガンマ値Ｄを用いて赤映像データＲｉｎをガンマ補正することによって得られる第１赤画素データＲ１が、赤映像データＲｉｎと対応付けて格納されている。すなわち、Ｒ１ＬＵＴ３２は、赤映像データＲｉｎと第１赤画素データＲ１とを対応付けたガンマテーブルを備えている。
【０１２３】
Ｒ１ＬＵＴ３２には赤映像データＲｉｎが入力され、Ｒ１ＬＵＴ３２は赤映像データＲｉｎに対して第１赤画素データＲ１の値を返し、第１赤画素データＲ１をＲＬＵＴ合成部３１に出力する。
【０１２４】
Ｒ２ＬＵＴ３３は、赤映像データＲｉｎに対してガンマ値Ｅ（第３補正値）を用いてガンマ補正を施すことによって第２赤画素データＲ２を出力する一次元のルックアップテーブルである。
【０１２５】
Ｒ２ＬＵＴ３３には、ガンマ値Ｅを用いて赤映像データＲｉｎをガンマ補正することによって得られる第２赤画素データＲ２が、赤映像データＲｉｎと対応付けて格納されている。すなわち、Ｒ２ＬＵＴ３３は、赤映像データＲｉｎと第２赤画素データＲ２とを対応付けたガンマテーブルを備えている。
【０１２６】
Ｒ２ＬＵＴ３３には赤映像データＲｉｎが入力され、Ｒ２ＬＵＴ３３は赤映像データＲｉｎに対して第２赤画素データＲ２の値を返し、第２赤画素データＲ２をＲＬＵＴ合成部３１に出力する。
【０１２７】
（緑ルックアップテーブル）
Ｇ１ＬＵＴ３５は、緑映像データＧｉｎに対してガンマ値Ｄ（第４補正値）を用いてガンマ補正を施すことによって第１緑画素データＧ１を出力する一次元のルックアップテーブルである。
【０１２８】
Ｇ１ＬＵＴ３５には、ガンマ値Ｄを用いて緑映像データＧｉｎをガンマ補正することによって得られる第１緑画素データＧ１が、緑映像データＧｉｎと対応付けて格納されている。すなわち、Ｇ１ＬＵＴ３５は、緑映像データＧｉｎと第１緑画素データＧ１とを対応付けたガンマテーブルを備えている。
【０１２９】
Ｇ１ＬＵＴ３５には緑映像データＧｉｎが入力され、Ｇ１ＬＵＴ３５は緑映像データＧｉｎに対して第１緑画素データＧ１の値を返し、第１緑画素データＧ１をＧＬＵＴ合成部３４に出力する。
【０１３０】
Ｇ２ＬＵＴ３６は、緑映像データＧｉｎに対してガンマ値Ｅ（第３補正値）を用いてガンマ補正を施すことによって第２緑画素データＧ２を出力する一次元のルックアップテーブルである。
【０１３１】
Ｇ２ＬＵＴ３６には、ガンマ値Ｅを用いて緑映像データＧｉｎをガンマ補正することによって得られる第２緑画素データＧ２が、緑映像データＧｉｎと対応付けて格納されている。すなわち、Ｇ２ＬＵＴ３６は、緑映像データＧｉｎと第２緑画素データＧ２とを対応付けたガンマテーブルを備えている。
【０１３２】
Ｇ２ＬＵＴ３６には緑映像データＧｉｎが入力され、Ｇ２ＬＵＴ３６は緑映像データＧｉｎに対して第２緑画素データＧ２の値を返し、第２緑画素データＧ２をＧＬＵＴ合成部３４に出力する。
【０１３３】
（青ルックアップテーブル）
ＢＬＵＴ３７（青画素補正部）は、青映像データＢｉｎに対してガンマ値Ｄ（第４補正値）を用いてガンマ補正を施すことによって青画素データＢｏｕｔを出力する一次元のルックアップテーブルである。
【０１３４】
ＢＬＵＴ３７には、ガンマ値Ｄを用いて青映像データＢｉｎをガンマ補正することによって得られる青画素データＢｏｕｔが、青映像データＢｉｎと対応付けて格納されている。すなわち、ＢＬＵＴ３７は、青映像データＢｉｎと青画素データＢｏｕｔとを対応付けたガンマテーブルを備えている。
【０１３５】
ＢＬＵＴ３７には青映像データＢｉｎが入力され、ＢＬＵＴ３７は青映像データＢｉｎに対して青画素データＢｏｕｔの値を返し、青画素データＢｏｕｔをタイミングコントローラ３・４に出力する。
【０１３６】
上記のように、Ｒ１ＬＵＴ３２におけるガンマ補正に用いられるガンマ値と、Ｇ１ＬＵＴ３５におけるガンマ補正に用いられるガンマ値と、ＢＬＵＴ３７におけるガンマ補正に用いられるガンマ値とは、何れもガンマ値Ｄである。一方で、Ｒ２ＬＵＴ３３におけるガンマ補正に用いられるガンマ値と、Ｇ３ＬＵＴ３６におけるガンマ補正に用いられるガンマ値とは、何れもガンマ値Ｅであり、ガンマ値Ｄとは異なる。
【０１３７】
ガンマ値Ｄは、従来の一般的なガンマ補正に用いられるガンマ値であり、彩度の高い青色を表示することによって正確な青表示をするためのガンマ値である。ガンマ値Ｅは、ＲＧＢ各色の画素のホワイトバランス（輝度バランス）を適切に保つことによって正確な白表示をするためのガンマ値である。ガンマ値Ｄはガンマ値Ｅよりも大きく、例えば、ガンマ値Ｅをγ＝２．０とし、ガンマ値Ｄをγ＝２．２としてもよい。
【０１３８】
（ＲＬＵＴ合成部およびＧＬＵＴ合成部）
ＲＬＵＴ合成部３１は、Ｒ１ＬＵＴ３２およびＲ２ＬＵＴ３３とともに赤画素補正部を構成している。
【０１３９】
ＧＬＵＴ合成部３４は、Ｇ１ＬＵＴ３５およびＧ２ＬＵＴ３６とともに緑画素補正部を構成している。
【０１４０】
ＲＬＵＴ合成部３１およびＧＬＵＴ合成部３４は、赤映像データＲｉｎと、緑映像データＧｉｎと、青映像データＢｉｎとに基づいて、液晶パネル７に表示すべき画像の各絵素における青色の彩度指数を算出する（算出ステップ）。
【０１４１】
ＲＬＵＴ合成部３１は、表示画像における青色の彩度指数に応じて、第１赤画素データＲ１および第２赤画素データＲ２に基づいて赤画素データＲｏｕｔを生成し、赤画素データＲｏｕｔを出力する。
【０１４２】
ＧＬＵＴ合成部３４は、表示画像における青色の彩度指数に応じて、第１緑画素データＧ１および第２緑画素データＧ２に基づいて緑画素データＧｏｕｔを生成し、緑画素データＧｏｕｔを出力する。
【０１４３】
これにより、Ｒ１ＬＵＴ３２、Ｒ２ＬＵＴ３３、およびＲＬＵＴ合成部３１は、青色の彩度指数に応じて赤映像データＲｉｎをガンマ補正し（補正ステップ）、ガンマ補正によって得られた赤画素データＲｏｕｔを出力する。また、Ｇ１ＬＵＴ３５、Ｇ２ＬＵＴ３６、およびＧＬＵＴ合成部３４は、青色の彩度指数に応じて緑映像データＧｉｎをガンマ補正し（補正ステップ）、ガンマ補正によって得られた緑画素データＧｏｕｔを出力する。
【０１４４】
図１３は、本実施形態に係る液晶表示装置のＲＬＵＴ合成部およびＧＬＵＴ合成部における処理の流れを示すフローチャートである。
【０１４５】
第１に、ＲＬＵＴ合成部３１およびＧＬＵＴ合成部３４に、映像処理部２２から各色の映像データ（Ｒｉｎ、Ｇｉｎ、Ｂｉｎ）が入力される（ステップ２１）。
【０１４６】
次に、ＲＬＵＴ合成部３１およびＧＬＵＴ合成部３４は、実施形態１で説明した式（１）に基づいて色比率Ｂｓを算出する（算出ステップ）。
【０１４７】
さらに、ＲＬＵＴ合成部３１およびＧＬＵＴ合成部３４は、色比率Ｂｓと閾値Ｐとを比較し、色比率Ｂｓが閾値Ｐより大きな値であるか否かを判定する（ステップ２２）。
【０１４８】
そして、色比率Ｂｓが閾値Ｐより大きな値である場合（ステップ２２でＹｅｓ）、ＲＬＵＴ合成部３１は、第２赤画素データＲ２を赤画素データＲｏｕｔとして決定し（ステップ２３）、赤画素データＲｏｕｔをタイミングコントローラ３・４に出力する（ステップ２５）。また、ＧＬＵＴ合成部３４は、第２緑画素データＧ２を緑画素データＧｏｕｔとして決定し（ステップ２３）、緑画素データＧｏｕｔをタイミングコントローラ３・４に出力する（ステップ２５）
一方で、色比率Ｂｓが閾値Ｐ以下の値であった場合（ステップ２２でＮｏ）、ＲＬＵＴ合成部３１は、以下の式（４）に基づいて第１赤画素データＲ１と第２赤画素データＲ２とに重み付けをすることによって、赤画素データＲｏｕｔを決定し（ステップ２３）、赤画素データＲｏｕｔをタイミングコントローラ３・４に出力する（ステップ２５）。また、ＧＬＵＴ合成部３４は、以下の式（５）に基づいて第１緑画素データＧ１と第２緑画素データＧ２とに重み付けをすることによって、緑画素データＧｏｕｔを決定し（ステップ２３）、緑画素データＧｏｕｔをタイミングコントローラ３・４に出力する（ステップ２５）
Ｒｏｕｔ＝（Ｂｓ／Ｐ）×Ｒ２＋（１−Ｂｓ／Ｐ）×Ｒ１      （４）
Ｇｏｕｔ＝（Ｂｓ／Ｐ）×Ｇ２＋（１−Ｂｓ／Ｐ）×Ｇ１      （５）
このように、ＲＬＵＴ合成部３１は、色比率Ｂｓの値が閾値Ｐよりも大きい場合（青色の彩度指数が所定値より小さい場合）、ホワイトバランス（ＲＧＢ各色の輝度バランス）を保つことを重視するために、ガンマ値Ｅ（γ＝２．０）を用いて赤映像データＲｉｎをガンマ補正することによって得られた第２赤画素データＲ２を、赤画素データＲｏｕｔとして出力する。また、ＧＬＵＴ合成部３４は、色比率Ｂｓの値が閾値Ｐよりも大きい場合（青色の彩度指数が所定値より小さい場合）、ホワイトバランス（ＲＧＢ各色の輝度バランス）を保つことを重視するために、ガンマ値Ｅ（γ＝２．０）を用いて緑映像データＧｉｎをガンマ補正することによって得られた第２緑画素データＧ２を、緑画素データＧｏｕｔとして出力する。
【０１４９】
一方で、ＲＬＵＴ合成部３１は、色比率Ｂｓの値が閾値Ｐ以下である場合（青色の彩度指数が所定値以上である場合）、正確な青表示をするために、Ｇ１ＬＵＴ３５およびＢＬＵＴ３７のガンマ値と同じガンマ値Ｄ（γ＝２．２）を用いて赤映像データＲｉｎをガンマ補正することによって得られた第１赤画素データＲ１と、第２赤画素データＲ２とを、式（４）に示すように色比率Ｂｓの値に応じた合成比で合成する。そして、第１赤画素データＲ１と第２赤画素データＲ２とを合成することによって得られた値を、赤画素データＲｏｕｔとして出力する。
【０１５０】
また、ＧＬＵＴ合成部３４は、色比率Ｂｓの値が閾値Ｐ以下である場合（青色の彩度指数が所定値以上である場合）、正確な青表示をするために、Ｒ１ＬＵＴ３２およびＢＬＵＴ３７のガンマ値と同じガンマ値Ｄ（γ＝２．２）を用いて緑映像データＧｉｎをガンマ補正することによって得られた第１緑画素データＧ１と、第２緑画素データＧ２とを、式（５）に示すように色比率Ｂｓの値に応じた合成比で合成する。そして、第１緑画素データＧ１と第２緑画素データＧ２とを合成することによって得られた値を、緑画素データＧｏｕｔとして出力する。
【０１５１】
実施形態１の液晶表示装置１では、青色の彩度指数が低い場合に、青映像データＢｉｎのガンマ補正をするためのガンマ値を、赤映像データＲｉｎおよび緑映像データＧｉｎのガンマ補正をするためのガンマ値Ａよりも大きくする（ガンマカーブを深くする）ことにより、低階調表示の際の色温度の上昇を抑えていた。
【０１５２】
これに対して、本実施形態の液晶表示装置では、青色の彩度指数が低い場合に、赤映像データＲｉｎおよび緑映像データＧｉｎのガンマ補正をするためのガンマ値を、青映像データＢｉｎのガンマ補正をするためのガンマ値Ｄよりも小さく（ガンマカーブを浅くする）ことにより、低階調表示の際の色温度の上昇を抑えている。
【０１５３】
これにより、本実施形態の色補正部３０は、実施形態１の色補正部１０と異なり、青映像データＢｉｎをガンマ補正するためのガンマ値を２．４としたＢ１ＬＵＴを用いる必要がない。そのため、本実施形態の液晶表示装置は、実施形態１の液晶表示装置に比べて、低階調表示における階調の破綻を抑制することができる。
【０１５４】
〔まとめ〕
本発明の態様１に係る液晶表示装置（１）は、赤画素、緑画素、および青画素を含む絵素を有しており、外部から入力される映像データ（Ｒｉｎ、Ｇｉｎ、Ｂｉｎ）に応じた画像を表示する液晶パネル（７）と、上記映像データを補正することにより、各画素の光透過率を制御するための画素データ（Ｒｏｕｔ、Ｇｏｕｔ、Ｂｏｕｔ）を生成する補正部（色補正部１０）と、を備えている液晶表示装置であって、上記補正部は、上記映像データに基づいて上記絵素における青色の彩度指数を算出するとともに、上記彩度指数に応じて当該映像データを補正することを特徴とする。
【０１５５】
上記の構成によれば、青色の彩度指数に応じて映像データを補正し、画素データを生成することができる。そのため、例えば、無彩色の画像など、表示画像において青色の彩度指数が低い場合と、青色の彩度指数が高い場合とで、異なる補正を行って画像データを生成することができる。
【０１５６】
これにより、青色の彩度指数が低い場合に、階調の変化に伴い各色の画素の輝度バランスが変化することによる表示品位の低下を抑制することができる。また、青色の彩度指数が高い場合に、青色の彩度を強調して正確な青表示をすることができる。
【０１５７】
本発明の態様２に係る液晶表示装置は、上記態様１において、上記補正部は、上記赤画素の光透過率を制御するための赤画素データ（Ｒｏｕｔ）を生成する赤画素補正部（ＲＬＵＴ１１）と、上記緑画素の光透過率を制御するための緑画素データ（Ｇｏｕｔ）を生成する緑画素補正部（ＧＬＵＴ１２）と、上記青画素の光透過率を制御するための青画素データ（Ｂｏｕｔ）を生成する青画素補正部（Ｂ１ＬＵＴ１３、Ｂ２ＬＵＴ１４、ＢＬＵＴ選択部１５、ＢＬＵＴ合成部２５）と、を備えており、上記赤画素補正部、上記緑画素補正部、および上記青画素補正部のそれぞれは、補正値を用いて上記映像データを補正し、上記赤画素補正部、上記緑画素補正部、および上記青画素補正部のうちの少なくとも何れか１つは、上記彩度指数に応じて上記映像データを補正する構成であってもよい。
【０１５８】
液晶表示装置は、液晶材料の性質、および直交配置の偏光層の透過率波長特性が短波長側で高いという液晶パネルの特性によって、ＲＧＢの画素毎の輝度バランスが変化する。
【０１５９】
上記の構成によれば、補正部は、赤画素補正部と緑画素補正部と青画素補正部とを備えており、各色の補正部は個別の補正値を用いて各色の映像データを補正して各色の画素データを生成することができる。これにより、透過率波長特性を補償して、ＲＧＢの画素毎の輝度バランスを改善することができる。
【０１６０】
本発明の態様３に係る液晶表示装置は、上記態様２において、上記青画素補正部は、第１補正値（ガンマ値Ｂ）および第２補正値（ガンマ値Ａ）に基づき、上記彩度指数に応じて上記補正値を決定し、上記第１補正値は、低階調を表示するときの、赤画素、緑画素、および青画素の輝度バランスに基づいた補正値であり、上記第２補正値は、上記赤画素補正部および上記緑画素補正部において用いられる補正値と同じ値である構成であってもよい。
【０１６１】
上記の構成によれば、青画素補正部は、青色の彩度指数が低い場合に第１補正値を用いて映像データを補正することによって、階調の変化に伴い各色の画素の輝度バランスが変化することによる表示品位の低下を抑制することができる。また、青画素補正部は、青色の彩度指数が高い場合に第２補正値を用いて映像データを補正することによって、従来技術同様、青色の彩度を強調して正確な青表示をすることができる。
【０１６２】
本発明の態様４に係る液晶表示装置は、上記態様３において、上記青画素補正部は、上記第１補正値を用いて上記映像データを補正して得られる第１青画素データ（Ｂ１）を、上記映像データと対応付けて格納した第１青ＬＵＴ（Ｂ１ＬＵＴ１３）と、上記第２補正値を用いて上記映像データを補正して得られる第２青画素データ（Ｂ２）を、上記映像データと対応付けて格納した第２青ＬＵＴ（Ｂ２ＬＵＴ１４）と、上記彩度指数に応じて、上記第１青画素データおよび上記第２青画素データに重み付けをして、上記青画素データを生成する青画素データ生成部（ＢＬＵＴ合成部２５）を備えている構成であってもよい。
【０１６３】
上記の構成によれば、青画素補正部は第１青ＬＵＴおよび第２青ＬＵＴを備えているため、簡易な構成により、青色の彩度指数に応じて第１青画素データおよび第２青画素データに重み付けをして、映像データを補正して青画素データを生成することができる。
【０１６４】
本発明の態様５に係る液晶表示装置は、上記態様２において、上記赤画素補正部および上記緑画素補正部は、第３補正値（ガンマ値Ｅ）および第４補正値（ガンマ値Ｄ）に基づき、上記彩度指数に応じて上記補正値を決定し、上記第３補正値は、低階調を表示するときの、赤画素、緑画素、および青画素の輝度バランスに基づいた補正値であり、上記第４補正値は、青画素補正部において用いられる補正値と同じ補正値である構成であってもよい。
【０１６５】
上記の構成によれば、赤画素補正部および緑画素補正部は、青色の彩度指数が低い場合に第３補正値を用いて映像データを補正することによって、階調の変化に伴い各色の画素の輝度バランスが変化することによる表示品位の低下を抑制することができる。また、赤画素補正部および緑画素補正部は、青色の彩度指数が高い場合に第４補正値を用いて映像データを補正することによって、従来技術同様、青色の彩度を強調して正確な青表示をすることができる。
【０１６６】
本発明の態様６に係る液晶表示装置は、上記態様５において、上記赤画素補正部は、上記第３補正値を用いて上記映像データを補正して得られる第２赤画素データ（Ｒ２）を、上記映像データと対応付けて格納した第２赤ＬＵＴ（Ｒ２ＬＵＴ３３）と、上記第４補正値を用いて上記映像データを補正して得られる第１赤画素データ（Ｒ１）を、上記映像データと対応付けて格納した第１赤ＬＵＴ（Ｒ１ＬＵＴ３２）と、上記彩度指数に応じて、上記第１赤画素データおよび上記第２赤画素データに重み付けをして、上記赤画素データを生成する赤画素データ生成部（ＲＬＵＴ合成部３１）と、を備えており、上記緑画素補正部は、上記第３補正値を用いて上記映像データを補正して得られる第２緑画素データ（Ｇ２）を、上記映像データと対応付けて格納した第２緑ＬＵＴ（Ｇ２ＬＵＴ３６）と、上記第４補正値を用いて上記映像データを補正して得られる第１緑画素データ（Ｇ１）を、上記映像データと対応付けて格納した第１緑ＬＵＴ（Ｇ１ＬＵＴ３５）と、上記彩度指数に応じて、上記第１緑画素データおよび上記第２緑画素データに重み付けをして、上記緑画素データを生成する緑画素データ生成部（ＧＬＵＴ合成部３４）と、を備えている構成であってもよい。
【０１６７】
上記の構成によれば、赤画素補正部は第１赤ＬＵＴおよび第２赤ＬＵＴを備えているため、簡易な構成により、青色の彩度指数に応じて第１赤画素データおよび第２赤画素データに重み付けをして、映像データを補正して赤画素データを生成することができる。
【０１６８】
また、上記の構成によれば、緑画素補正部は第１緑ＬＵＴおよび第２緑ＬＵＴを備えているため、簡易な構成により、青色の彩度指数に応じて第１緑画素データおよび第２緑画素データに重み付けをして、映像データを補正して緑画素データを生成することができる。
【０１６９】
本発明の態様７に係る画素データ処理方法は、赤画素、緑画素、および青画素を含む絵素を有しており、外部から入力される映像データに応じた画像を表示する液晶パネルを備えている液晶表示装置において、上記映像データを補正することにより、各画素の光透過率を制御するための画素データを生成する画素データ処理方法であって、上記映像データに基づいて上記絵素における青色の彩度指数を算出する算出ステップと、上記彩度指数に応じて当該映像データを補正する補正ステップと、を含んでいることを特徴とする。
【０１７０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１７１】
本発明は、映像データをガンマ補正する補正部を備えた液晶表示装置に利用することができる。
【符号の説明】
【０１７２】
１  液晶表示装置
７  液晶パネル
１０、２０、３０  色補正部（補正部）
１３  Ｂ１ＬＵＴ（第１青ＬＵＴ）
１４  Ｂ２ＬＵＴ（第２青ＬＵＴ）
１５  ＢＬＵＴ選択部（青画素データ生成部）
２５  ＢＬＵＴ合成部（青画素データ生成部）
３１  ＲＬＵＴ合成部（赤画素データ生成部）
３２  Ｒ１ＬＵＴ（第１赤ＬＵＴ）
３３  Ｒ２ＬＵＴ（第２赤ＬＵＴ）
３４  ＧＬＵＴ合成部（赤画素データ生成部）
３５  Ｇ１ＬＵＴ（第１緑ＬＵＴ）
３６  Ｇ２ＬＵＴ（第２緑ＬＵＴ）
Ｒ１  第１赤画素データ
Ｒ２  第２赤画素データ
Ｒｉｎ  赤映像データ（映像データ）
Ｒｏｕｔ  赤画素データ
Ｇ１  第１緑画素データ
Ｇ２  第２緑画素データ
Ｇｉｎ  緑映像データ（映像データ）
Ｇｏｕｔ  緑画素データ
Ｂ１  第１青画素データ
Ｂ２  第２青画素データ
Ｂｉｎ  青映像データ（映像データ）
Ｂｏｕｔ  青画素データ
【図１】
2016090723.tif 000003
【図２】
2016090723.tif 000004
【図３】
2016090723.tif 000005
【図４】
2016090723.tif 000006
【図５】
2016090723.tif 000007
【図６】
2016090723.tif 000008
【図７】
2016090723.tif 000009
【図８】
2016090723.tif 000010
【図９】
2016090723.tif 000011
【図１０】
2016090723.tif 000012
【図１１】
2016090723.tif 000013
【図１２】
2016090723.tif 000014
【図１３】
2016090723.tif 000015